(57)【要約】【課題】本体予約情報およびディスク予約情報間の予約情報の移動、コピー機能を実現する映像記録装置を提案することを目的とする。【解決手段】予約録画情報が保持される予約情報群保持部３を有し、予約録画情報が記録された記録媒体１が挿入された場合に、この予約情報群保持部３に保持される記録媒体１の予約録画情報に基づいて録画を行う映像記録装置において、利用者の予約情報群保持部３に対する指示が入力される入力操作手段４と、予約情報群保持部３を分割した一方に装置本体の予約録画情報が保持される本体予約情報群保持部３ｂと、分割された予約情報群保持部３の他方に記録媒体１の予約録画情報が保持される記録媒体予約情報群保持部３ａとを備え、入力操作手段４からの利用者の指示に応じて、本体予約情報群保持部３ｂと記録媒体予約情報群保持部３ａと間で、予約録画情報の送受信を行うようにしたものである。【選択図】  図１
2004320550.tif 000002
【特許請求の範囲】
【請求項１】
予約録画情報が保持される予約情報群保持部を有し、予約録画情報が記録された記録媒体が挿入された場合に、前記予約情報群保持部に保持される前記記録媒体の予約録画情報に基づいて録画を行う映像記録装置において、
利用者の予約情報群保持部に対する指示が入力される入力操作手段と、
前記予約情報群保持部を分割した一方に前記装置本体の予約録画情報が保持される本体予約情報群保持部と、
前記分割された予約情報群保持部の他方に前記記録媒体の予約録画情報が保持される記録媒体予約情報群保持部とを備え、
前記入力操作手段からの利用者の指示に応じて、前記本体予約情報群保持部と前記記録媒体予約情報群保持部と間で、予約録画情報の送受信を行う
ことを特徴とする映像記録装置。
【請求項２】
請求項１記載の映像記録装置において、
前記予約情報群保持部に保持された予約録画情報を表示する表示装置に対し、前記記録媒体予約情報群保持部および前記本体予約情報群保持部の各予約録画情報を同時表示する
ことを特徴とする映像記録装置。
【請求項３】
予約録画情報が保持される予約情報群保持部を有し、予約録画情報が記録された記録媒体が挿入された場合に、前記予約情報群保持部に保持される前記記録媒体の予約録画情報に基づいて録画を行う映像記録装置において、
利用者の予約録画情報保持部に対する指示が入力される入力操作手段と、
前記記録媒体または装置本体のいずれか一方の予約録画情報について識別情報を生成する識別情報生成手段とを備え、
前記入力操作手段からの利用者の指示に応じて、前記識別情報有りの予約録画情報と識別情報無しの予約録画情報と間で、予約録画情報の送受信を行う
ことを特徴とする映像記録装置。
【請求項４】
請求項３記載の映像記録装置において、
前記識別情報の有無により前記装置本体に記録すべき予約録画情報の選別を行う第１の選別手段と、
前記識別情報の有無により前記記録媒体に記録すべき予約録画情報の選別を行う第２の選別手段とを備え、
前記予約情報群保持部内の予約録画情報は、前記第１または第２の選別手段を介して装置本体または記録媒体にそれぞれ記録される
ことを特徴とする映像記録装置。
【請求項５】
請求項３記載の映像記録装置において、
前記予約情報群保持部に保持された予約録画情報を表示する表示装置に対し、識別情報有りの予約録画情報および識別情報無しの予約録画情報を同時表示する
ことを特徴とする映像記録装置。
【発明の詳細な説明】
【０００１】
【発明の属する技術分野】
本発明は、例えばＤＶＤ（Ｄｉｇｉｔａｌ  Ｖｅｒｓａｔｉｌｅ  Ｄｉｓｃ）等の予約録画情報が記録された記録媒体が挿入された場合に、前記記録媒体の予約録画情報に基づいて録画を行うＤＶＤレコーダ等に適用して好適な映像記録装置に関する。
【０００２】
【従来の技術】
従来、テレビジョン放送などの予約録画情報が記録された記録媒体が挿入された場合に、装置本体に保存されている予約録画情報に代わり、上記記録媒体の予約録画情報に基づいて録画を行うディスク予約機能を備えた映像記録装置として、例えば、図２１に示すようなＤＶＤレコーダが提案されている。これは、書き換え型ＤＶＤ、例えばＤＶＤ−ＲＷ（ＤＶＤ−ＲｅＷｒｉｔａｂｌｅ）のＶＲ（Ｖｉｄｅｏ  Ｒｅｃｏｒｄｉｎｇ）フォーマットを利用して実現したものである。ＶＲフォーマットの仕様として、ディスク上にメーカーが自由に使用できる領域が設定されているので、この領域を予約録画情報の記録領域として利用して、上述の録画予約方法を実現している。
【０００３】
図中、１０１は記録媒体のＤＶＤ（以下、ディスクと称する。）であり、１０２はピックアップ等の光学系およびメカユニットからなる読み込み部、１０３はディスク１０１から読み出した予約録画情報（以下、ディスク予約情報と称する。）を抽出するディスク予約情報抽出部、１０４はコンテンツ録画時の予約録画情報としてディスク予約情報および後述する本体予約情報を切り替える切り替え部、１０５はキーボードやマウス等の入力操作手段であり、予約録画情報の予約設定や予約修正等を行うためのユーザ・インターフェース（以下、ＵＩと称する。）、１０６はＤＶＤレコーダ内に設けられたフラッシュメモリ等の不揮発性メモリからなる記憶手段であり、ユーザがディスク１０１に記録されるものと別に作成した予約録画情報（以下、本体予約情報という。）をＤＶＤレコーダ本体に記憶する本体予約情報記憶部である。
【０００４】
また、１０７はＲＡＭ（Ｒａｎｄｏｍ  Ａｃｃｅｓｓ  Ｍｅｍｏｒｙ）などの揮発性メモリからなり、切り替え部１０４により選択された予約録画情報が保持・展開される予約情報保持部であり、１０８は読み込み部２同様に光学系およびメカユニットからなり、予約情報保持部に展開された予約情報に基づいて録画対象となっているコンテンツデータ（映像、音声等）をＤＶＤ１０１に書き込む書き込み手段である。１０９はＤＶＤレコーダと外部ケーブル等で接続され、予約情報保持部１０７に展開された予約録画情報を表示する表示装置としてのグラフィカル・ユーザー・インターフェース（以下、ＧＵＩと称する。）である。
【０００５】
尚、図示していないが、これらシステム全体の制御はＭＰＵ（Ｍｉｃｒｏｐｒｏｃｅｓｓｉｎｇ  Ｕｎｉｔ）等のプロセッサにより行われる。
【０００６】
このようなＤＶＤレコーダにおいて、ディスク１０１が装着されていない初期状態では、通常、切り替え部１０４は本体予約情報を選択するように設定されていて、本体予約情報記憶部１０６に保存されている本体予約情報が予約録画情報保持部１０７に展開される。ユーザは本体予約情報に基づいた録画を行うことができ、またＧＵＩ１０９表示される本体予約情報を確認しながら予約設定や予約修正等行うことができる。この状態を本体予約モードという。
【０００７】
このときに、ディスク１０１がＤＶＤレコーダに装着されると、予約情報保持部１０７に保持・展開されていた本体予約情報は切り替え部４を介して本体予約情報記憶部６に保存される。そして、切り替え部１０４は本体予約情報からディスク予約情報へと切り替わり、空いた予約情報保持部１０７にディスク１０１のディスク予約情報が保持・展開される。この状態をディスク予約モードという。
【０００８】
このように、ＤＶＤレコーダにディスク１０１を挿入するだけで、本体予約モードからディスク予約モードへと簡単に切り替えることができる。また、ディスク予約モードとした場合、ディスク１０１をＤＶＤレコーダから取り出すか、ディスク予約情報内の予約録画が全て終了するか、あるいはディスク予約情報を予約編集機能で消去することでディスク予約モードを解除できるようになっている。
【０００９】
【発明が解決しようとする課題】
しかしながら、上述するディスク予約機能は実現されていたが、予約情報保持部１０７に一時に保持される予約情報は、本体予約情報またはディスク予約情報のいずれか一方のみであるために、予約情報保持部１０７上で本体予約情報およびディスク予約情報間の予約情報の移動、コピーを行うことができず、本体予約情報およびディスク予約情報間の予約情報の移動、コピー機能は実現されていなかった。
【００１０】
斯かる点に鑑み、本発明は、本体予約情報およびディスク予約情報間の予約情報の移動、コピー機能を実現する映像記録装置を提案することを目的とする。
【００１１】
【課題を解決するための手段】
本発明映像記録装置の第１の手段は、予約録画情報が保持される予約情報群保持部を有し、予約録画情報が記録された記録媒体が挿入された場合に、この予約情報群保持部に保持されるこの記録媒体の予約録画情報に基づいて録画を行う映像記録装置において、利用者の予約情報群保持部に対する指示が入力される入力操作手段と、この予約情報群保持部を分割した一方にこの装置本体の予約録画情報が保持される本体予約情報群保持部と、この分割された予約情報群保持部の他方にこの記録媒体の予約録画情報が保持される記録媒体予約情報群保持部とを備え、この入力操作手段からの利用者の指示に応じて、この本体予約情報群保持部とこの記録媒体予約情報群保持部と間で、予約録画情報の送受信を行うようにしたものである。
【００１２】
斯かる本発明によれば、予約録画情報が保持される予約録画情報保持部を、記録媒体の予約録画情報用と本体装置の録画予約情報用とで領域を分割したので、予約録画情報保持部上に両方の予約録画情報を同時に保持・展開することができ、双方の予約録画情報間で予約録画情報の送受信を行い、予約録画情報の移動、コピー機能を実現することができる。
【００１３】
本発明映像記録装置の第２の手段は、予約録画情報が保持される予約情報群保持部を有し、予約録画情報が記録された記録媒体が挿入された場合に、この予約情報群保持部に保持されるこの記録媒体の予約録画情報に基づいて録画を行う映像記録装置において、利用者の予約録画情報保持部に対する指示が入力される入力操作手段と、この記録媒体または装置本体のいずれか一方の予約録画情報について識別情報を生成する識別情報生成手段とを備え、この入力操作手段からの利用者の指示に応じて、この識別情報有りの予約録画情報と識別情報無しの予約録画情報と間で、予約録画情報の送受信を行うようにしたものである。
【００１４】
斯かる本発明によれば、予約録画情報保持部に保持される記録媒体または装置本体の予約録画情報のいずれか一方に識別情報を付すことで、予約録画情報保持部内において、この識別情報有りまたは識別情報無しの予約録画情報が区別されるので、この識別情報に基づいて双方の予約録画情報間で予約録画情報の送受信を行うことができ、予約録画情報の移動、コピー機能を実現することができる。
【００１５】
【発明の実施の形態】
以下、図１〜図２０を参照して、本発明の映像記録装置の一実施の形態の例について、ＤＶＤレコーダに適用した例として説明する。
【００１６】
図１に、本例のＤＶＤレコーダの概略システムブロック図を示す。図中、１は記録媒体である書き換え型のＤＶＤ（以下、ディスクと称する。）であり、例えばＤＶＤ−ＲＷ（ＤＶＤ  Ｒｅ−ｒｅｃｏｒｄａｂｌｅ）のＶＲ（Ｖｉｄｅｏ  Ｒｅｃｏｒｄｉｎｇ）フォーマットにより書き込みを行っている。ＶＲフォーマットの仕様として、ディスク上にメーカーが自由に使用できる領域が設定されているので、この領域を本例の予約録画情報（以下、予約情報という。）の記録領域として利用している。
【００１７】
本例において、予約録画情報とは、テレビジョン放送等の放送番組を予約録画するために、必要または予約録画を効率よく行うための情報群であり、新聞のテレビジョン放送番組表などから後述するＧＵＩ４を使用しての手動入力やコード入力により作成したり、あるいはＥＰＧ（Ｅｌｅｃｔｒｏｎｉｃ  Ｐｒｏｇｒａｍ  Ｇｕｉｄｅ）などから予約録画情報を入手することができる。
【００１８】
２はピックアップ等の光学系およびメカユニットからなる読み出し部であり、ディスク１に記録されたディスク予約録画に必要な情報（以下、ディスク予約情報と称する。）を抽出して、後述の予約情報群保持部３に送信する。
【００１９】
３はＲＡＭ（Ｒａｎｄｏｍ  Ａｃｃｅｓｓ  Ｍｅｍｏｒｙ）などの揮発性メモリからなる予約情報群保持部であり、ディスク１のディスク予約情報を保持・展開するディスク予約情報群保持部３ａと、装置本体の本体予約情報群記憶部９に保存されている本体予約情報を読み出して保持・展開する本体予約情報群保持部３ｂから構成され、ディスク予約情報群保持部３ａおよび本体予約情報群保持部３ｂに保持・展開された予約情報群の内容は、後述するＧＵＩの表示画面上に並列表示される。
【００２０】
本例においては、ディスク予約情報群保持部３ａおよび本体予約情報群保持部３ｂの分割は、論理的なものであるが、物理的にそれぞれ別の記憶領域を設けるようにしてもよい。
【００２１】
４は予約情報群保持部３に展開された予約録画情報を表示する表示装置、予約録画情報の予約設定や予約修正等を行うリモコンやタッチパネル、マウス等の入力操作手段から構成されるグラフィカル・ユーザー・インターフェース（以下、ＧＵＩと称する。）である。ユーザはＧＵＩ４を使用して、所望の予約録画を行うのにディスク予約情報群保持部３ａまたは本体予約情報群保持部３ｂのどちらの予約録画情報を選択するか切り替え部に指示することができる。
【００２２】
５はＧＵＩ４からの指示により、予約録画情報の移動、コピー、予約設定や予約修正等の指示入力をディスク予約情報群保持部３ａまたは本体予約情報群保持部３ｂのどちらに入力するかを切り替えるセレクタである。６はＧＵＩ４からの指示により、ディスク予約情報群保持部３ａまたは本体予約情報群保持部３ｂのどちらの予約録画情報を実行するかを切り替えるセレクタである。尚、このセレクタ７は、例えばディスク予約情報群保持部３ａが選択されていたが、実行すべき予約情報がなくなった場合には、自動的に本体予約情報群保持部３ｂへ切り替えるようにしてもよい。
【００２３】
７はセレクタ６で選択されたディスク予約情報群保持部３ａまたは本体予約情報群保持部３ｂの予約情報が供給され、上述の予約情報の移動、コピー、予約設定や予約修正等の内容を反映して予約録画を実行する録画予約実行系である。
【００２４】
８は読み込み部２同様に光学系およびメカユニットからなり、予約情報群保持部３のディスク予約情報群保持部３ａの予約情報の必須情報や、予約情報に基づいて録画されるコンテンツデータをＤＶＤ１に書き込む書き込み手段である。この必須情報としては、例えば、録画開始時刻、録画終了時刻、録画日や録画曜日、録画チャンネル、録画レート（録画時間モード）などが挙げられる。
【００２５】
９はＤＶＤレコーダ内に設けられたフラッシュメモリ等の不揮発性メモリからなる記憶手段であり、ユーザがディスク１に保存されるものとは別に作成する予約録画情報をＤＶＤレコーダ本体に記憶するための本体予約情報群記憶部である。
【００２６】
１０はＤＶＤレコーダ本体にＬＥＤや液晶等の表示部を備える本体表示管、１１は切り替え部４が停電時に選択していた予約録画情報の選択情報を記憶するフラッシュメモリなどからなる不揮発性メモリである。
【００２７】
尚、図示していないが、これらシステム全体の制御はＭＰＵ（Ｍｉｃｒｏｐｒｏｃｅｓｓｉｎｇ  Ｕｎｉｔ）等のプロセッサにより行われる。
【００２８】
以上のような構成のＤＶＤレコーダにおいて、例えば、ディスク１が挿入されていない初期状態では、本体予約情報群記憶部９に保存されている本体予約情報が本体予約情報群保持部３ｂに展開されている。この場合、ユーザは本体予約情報に基づいた録画を行うことができる。
【００２９】
また、この状態において、ディスク１がＤＶＤレコーダに装着されると、読み出し部２によって、ディスク予約情報の読み出しが行われて、ディスク予約情報群保持部３ａに展開され、本体予約モードからディスク予約モードに切り替わるようになっている。このとき、ＧＵＩ４の表示画面に「ディスク予約モードオン」などと表示して、ユーザに通知するとよい。
【００３０】
ディスク予約情報群保持部３ａに保持された予約情報は、ディスクが抜かれる直前に、書き込み部８によってディスク上にその情報が書き込まれる。このとき、ディスク予約モードがオフするので、「ディスク予約モードオフ」などと表示して、ユーザに通知するとよい。
【００３１】
ユーザはＧＵＩ４を介して、予約情報群保持部３のディスク予約情報群保持部３ａに予約情報を入力して録画予約を設定することができる。また、セレクタ５を制御しディスク予約情報群保持部３ａから本体予約情報群保持部３ｂに予約録画情報の入力先を切り替えることで、本体予約情報群保持部３ｂにも録画予約設定することができる。
【００３２】
上述のような操作を行うことで、ディスク予約情報群保持部３ａや本体予約情報群保持部３ｂに予約情報が設定され、この状態で、ディスク予約情報群保持部３ａにある予約情報を本体予約情報群保持部３ｂに、また逆に本体予約情報群保持部３ｂからディスク予約情報群保持部３ａに、移動、コピーすることができる。
【００３３】
また、ディスク予約を行いたい場合には、セレクタ６を切り替え制御してディスク予約情報群保持部３ａの予約情報を録画予約実行系７に移し（ディスク予約モード）、本体予約を行いたい場合には、セレクタ６を切り替え制御して本体予約情報群保持部３ｂの予約情報を録画予約実行系７に移す（本体予約モード）ことで、上述の移動、コピーの内容が反映され録画予約が実行される。
【００３４】
図２〜図１０を参照して、予約モードの切り替えについて説明する。まず、本例のディスク予約情報群保持部３ａまたは本体予約情報群保持部３ｂに予約情報が保持されている場合のＧＵＩ４に表示される予約リストの概略図を図２に示す。図２Ａ、Ｂにおいて、１２〜１５は後述する予約追加作業により予約設定された放送番組（以下、イベントと称する。）である。１６は表示順を表すカーソルであり、予約時間順表示の際は「時間」に、予約録画優先度順の際は「優先」に位置し、この例では時間順としている。予約イベント１２，１５左肩の１７はディスク予約マークであり、ディスク予約イベントであることを識別するためのである。
【００３５】
図２Ａはディスク予約モードオン時、図２Ｂはディスク予約モードオフ時を表し、ディスク予約モードオン時は、ディスク予約マーク１７のない予約イベント１３，１４が背景色（斜線表示）が付され不活性となり、ディスク予約モードオフ時はディスク予約マーク１７のついた予約イベント１２，１５が不活性となり、これら不活性の予約イベントについては予約録画は行われない。
【００３６】
図３はディスク予約情報群保持部３ａまたは本体予約情報群保持部３ｂに予約情報が保持されている場合の予約リスト表示の概略図を、優先度順に表示したものである。図３Ａはディスク予約モードオン時、図３Ｂはディスク予約モードオフ時を表している。図３において、図２に対応する部分には同一符号を付す。図３Ａ、図３Ｂともにディスク予約および本体予約がそれぞれ優先順に表示されている。不活性の表示については図２と同様である。
【００３７】
図４に予約リストの表示のフローチャートを示す。まず、図示しないメニュー画面を開き（ステップＳ１１）、ディスク予約モードであるか否かが判断される（ステップＳ１２）。ディスク予約モードがオンのときは、図２Ａ、図３Ａに示すように、本体予約イベントに背景色をつけて、不活性にして予約リストを表示する（ステップＳ１３）。ディスク予約モードがオフのときは、図２Ｂ、図３Ｂに示すように、ディスク予約イベントを不活性にして予約リストを表示する（ステップＳ１４）。
【００３８】
次に、予約録画時間順または予約録画優先順のどちらで表示するか選択し（ステップＳ１５）、時間順を選択した場合、図２Ａ、Ｂのように時間順に表示する（ステップＳ１６）。この場合、カーソル１６が「時間」の位置に移動する。本例では、同じ録画時刻の場合は、不活性の予約イベントが上になるようにしている。
【００３９】
図４フローチャートのステップＳ１５にて、予約優先度順で表示する場合（ステップＳ１７）、図３Ａ、Ｂに示すように、カーソル１６が「優先」の位置に移動し、ディスク予約イベントおよび本体予約イベントともにそれぞれの優先度順で表示される。
【００４０】
図５〜図１０を参照して、予約モードの切り替え操作について説明する。まず、ディスク予約モードから本体予約モードへの切り替えについて述べる。ディスク予約オンの状態からディスク予約オフ操作する場合、ＧＵＩ４のメニュー画面（図示せず）等より予約リストまたは番組表（図示せず）を表示する（ステップＳ２１）。以下、予約リストを例として説明するが、番組表からでも同様の操作である。
【００４１】
図６に、予約情報群保持部３に保持された予約録画情報からなる予約リストの一例を示す。２１は録画日と曜日、さらに毎日なのか隔週なのかなどの情報を示し、２２ａは録画開始時刻、３１は放送番組名（イベント名）、２４、２５は予約録画実行状況などを示すマークで、例えば２４は予約録画実行中を表す。２６は、予約録画時間の重複を示すマークで、重複マークがついている予約イベントは設定した予約時間内の放送全てを録画できないことを表している。また、２７はディスクの種別とアプリケーションフォーマットを表示し、２８は装置本体に挿入されているディスク名を表示するものである。３２は予約録画情報の切り替え他に使用するディスク予約ツール表示に移動するツールボタンである。尚、予約リスト画面表示の構成はこの例に限るものではない。
【００４２】
本例の本体予約リスト表示にズーム表示機能を設けて、例えば、参照したい予約イベントを選択し、図７に示すような、ズーム表示画面を表示するようにしてもよい。ズーム表示では、例えば、録画開始／終了時刻２２、記録ビットレートを可変するいわゆるＳＰ，ＥＰ，ＨＱ等の記録モード２９、録画チャンネルの放送局名３０など、図６の予約リストのメイン画面よりも詳細な情報を得ることができる。
【００４３】
次に、予約リストのツールボタン３２を押して、予約リストのツール項目を表示させる（ステップＳ２２）。図８にディスク予約のツール項目の一例を示す。ツール項目４１として、この例では、ディスク予約オン４２を含む、録画予約、録画モード自動調整、およびディスク情報等の項目が用意されているが、この例に限るものではない。
【００４４】
ディスク予約オフしたい場合は、ＧＵＩ４を介してディスク予約オフ４２を選択する（ステップＳ２３）。そうすると、セレクタ５，６がディスク予約情報群保持部３ａから本体予約情報群保持部３ｂに切り替わり、ディスク予約が無効化される（ステップＳ２４）。このとき、ディスク予約無効化操作が完了したことをユーザに通知するため、例えば「ディスク予約を無効にしました。」など表示するようにするとよい。
【００４５】
然して、ディスク予約モードが解除され、本体予約モードに切り替わり、ＧＵＩ４の表示画面には図２Ｂ、図３Ｂのような本体予約イベントが活性化した予約リストが表示される。番組表からツールを選択した場合も同様である。
【００４６】
次に、図９、図１０を参照して、本体予約モードからディスク予約モードへの切り替えについて説明する。まず、装置本体にディスク１が挿入されてディスク予約オフ状態からディスク予約オンとしたい場合、まずＧＵＩ４に図６に示される予約リストまたは番組表（図示せず）を表示する（ステップＳ３１）。以下、予約リストを例として説明するが、番組表からでも同様の操作である。
【００４７】
次に、予約リストのツールボタン３２を押して、本体予約のツール項目５１を表示させる（ステップＳ３２）。図１０にディスク予約オフ時の予約リストのツール項目の一例を示す。ツール項目５１として、この例では、ディスク予約オン５２を含む、録画予約、録画モード自動調整、およびディスク情報等の項目が用意されているが、この例に限るものではない。
【００４８】
ディスク予約オンしたい場合は、ＧＵＩ４を介してディスク予約オン５２を選択する（ステップＳ３３）。そうすると、セレクタ５，６が本体予約情報群保持部３ｂからディスク予約情報群保持部３ａに切り替わり、ディスク予約を有効化する（ステップＳ３４）。このとき、ディスク予約有効化操作が完了したことをユーザに通知するため、例えば「ディスク予約を有効にしました。ディスク予約を無効にするか、ディスクを取り出すまで本体の予約は実行されません。」など表示するようにするとよい。
【００４９】
然して、ディスク予約モードがオンして、ディスク予約モードに切り替わり、ＧＵＩ４には図２Ａ、図３Ａのようなディスク予約イベントが活性化した予約リストが表示される。番組表からツールを選択した場合も同様である。
【００５０】
次にディスク予約情報群保持部３ａおよび本体予約情報群保持部３ｂ間の予約イベントの移動操作について説明する。図１１に予約イベント移動操作のフローチャートを示す。まず、図１２に示すような予約リストを表示し（ステップＳ４１）、図１２Ａのカーソル表示１８のように、移動したい予約イベント、例えば本体予約イベント１３を選択する（ステップＳ４２）。そして、図１５に示す予約リストのサブメニュー項目６１から、本体からディスクへの予約イベントの移動６４を選択する（ステップＳ４３）。
【００５１】
このとき、例えば「この予約イベントをディスクに移動しますか？」と表示するとともに、（はい）／（いいえ）などのアイコンを表示してユーザに選択させるようにすると、誤って予約イベントを移動してしまうといった意図しない操作ミスの減少が期待できる。
【００５２】
予約イベントの移動が完了したら、ＧＵＩ４に「ディスクに移動しました」などと表示して、移動が完了した旨をユーザに通知（ステップＳ４４）した後、図１２Ｂに示すように、予約イベント１３にディスク予約マーク１７を付して移動結果を予約リストに反映する（ステップＳ４５）。
【００５３】
さらに、ディスク予約情報群保持部３ａおよび本体予約情報群保持部３ｂ間の予約イベントのコピー操作について説明する。図１３に予約イベントコピー操作のフローチャートを示す。まず、図１４に示すような予約リストを表示し（ステップＳ５１）、図１４Ａのカーソル表示１８のように、コピーしたい予約イベント、例えばディスク予約イベント１２を選択する（ステップＳ５２）。そして、図１５に示す予約リストのサブメニュー項目６１から、ディスクから本体への予約イベントのコピー６３を選択する（ステップＳ５３）。
【００５４】
このとき、例えば「この予約イベントを本体にコピーしますか？」と表示するとともに、（はい）／（いいえ）などのアイコンを表示してユーザに選択させるようにすると、誤って予約イベントをコピーしてしまうといった意図しない操作ミスの減少が期待できる。
【００５５】
予約イベントのコピーが完了したら、ＧＵＩ４に「本体にコピーしました」などと表示して、コピーが完了した旨をユーザに通知（ステップＳ５４）した後、図１４Ｂに示すように、ディスク予約マーク１７のない本体予約イベント１２ａを追加して、移動結果を予約リストに反映する（ステップＳ５５）。
【００５６】
次に、予約イベントの録画予約設定について説明する。図１６に、ディスク予約モードおよび本体予約モードにおける録画予約設定画面を共用とした場合の表示画面の例を示す。図１６はマニュアル予約（ＧＵＩ４によりユーザが入力）としている。図１６Ａの３６は予約確定ボタン３６、３５は予約情報をディスクへ送る、即ちディスク予約情報群保持部３ａに入力する予約ボタンである。
【００５７】
予約リストのツール項目から録画予約を選択し、図１６Ａの録画予約設定画面を表示させ、予約情報の必須情報である録画曜日２１、録画開始時刻２２ａ、録画終了時刻２２ｂ、録画チャンネル２３、録画レート２９を入力後、確定ボタン３６を押して予約設定すると、本体に予約され、ディスクへの予約ボタン３５を押すとディスクへ予約されるようになされている。このディスクへの予約ボタン３５はディスクが本体に挿入されていないときは、不活性表示にしておくとよい。
【００５８】
図１６Ｂは図１６Ａの他の例であり、３７は本体への予約ボタン、３８はディスクへの予約ボタンであって、いわゆるラジオボタンを使用しており、必須情報を入力後いずれかのボタンを押すことで、本体予約およびディスク予約の排他的な選択を可能としている。ディスクが本体に挿入されていない場合は、ディスクへの予約ボタン３８は不活性表示にしておくとよい。
【００５９】
図１７はディスク予約モードおよび本体予約モードとで別々に録画予約設定画面を表示するようにしたものである。即ち、ディスク予約モードがオンのときに、図１７の録画予約設定画面を表示し、必須情報を入力後、確定ボタン３６を押すと、ディスク予約情報群保持部３ａに予約情報が入力され予約設定される。このとき、「ディスクに予約されました。」などと表示して、ディスク予約情報が追加されたことをユーザに通知するようにしてもよい。また、ディスク予約モードがオフ（本体予約モード）のときに、録画予約設定を行うと、本体予約情報群保持部３ｂに予約情報が入力され予約設定される。
【００６０】
これらの図１６Ａ、図１６Ｂ、図１７の録画予約設定画面で新たに予約設定されたイベントは、ディスク予約であればディスク予約マーク付きの、本体予約であればディスク予約マーク無しの予約イベントが予約リストに追加表示される。尚、予約追加は、コード入力や、ＥＰＧからの入力も可能としている。
【００６１】
その他、予約設定したイベントの修正、削除等、予約リストのサブメニュー項目の予約修正、予約消去などを選択し、各作業について所定の画面を表示させて同様に行うことができる。
【００６２】
本例によれば、予約情報群保持部３の領域をディスク予約情報群保持部３ａおよび本体予約情報群保持部３ｂに分割したので、予約情報群保持部３に双方の予約録画情報を同時に保持することができ、ＧＵＩ４からの利用者の指示に応じて、ディスク予約情報群保持部３ａと本体予約情報群保持部間３ｂと間で、予約録画情報の送受信を行うことができるようになり、予約録画情報の移動、コピー機能を実現することができる。
【００６３】
本例では、停電があった場合に、電源復帰時に停電前の予約モード選択状態がわかる機能を設けている。図１８は、停電から電源復帰した場合のＧＵＩ４および本体表示管１０の表示フローチャートを表すものである。まず、停電前の状態として、ディスク予約はオンであったかどうかを判断する（ステップＳ６１）。不揮発性メモリ１１に、停電前の予約モードがディスク予約または本体予約のどちらであったかを記録しており、停電が発生した場合、不揮発性メモリ１１からその時点の予約モード情報を読み出すように構成し、ディスク予約であった場合はディスク予約オンのフラグを立てる（ステップＳ６２）。
【００６４】
そして、ＧＵＩ４はフラグ情報に基づきディスク予約オンであった旨を表示する（ステップＳ６３）。表示内容の例としては、例えば、「ディスク予約がオンです。ディスク予約を無効にするか、ディスクを取り替えるまで本体の予約は実行されません」などと表示する。また、本体表示管１１には、「ディスク予約保持」などと表示させる（ステップＳ６４）。これらの表示を５秒程度ユーザに通知したら、表示を消すかまたは通常のメニュー画面を表示するようにしてもよい。また、予約リストのツール項目のディスク予約のオン／オフ機能により、本体予約モードに移行できるようにしてもよい。
【００６５】
この場合、ユーザはＧＵＩ４の電源を入れて予約リスト等を表示させなくても、本体表示管１１を見ることでも停電前の予約モードの種別を簡単に認識することができ、例えば考えていた予約モードと異なるために間違ったイベントを予約録画するといった不都合を解消することができる。
【００６６】
また、本例では、本体表示管１０にディスク予約オン／オフを表す表示灯としてディスク予約ＬＥＤと、予約情報群保持部３に実行すべきディスク予約情報および本体予約情報のいずれかが存在するときに点灯されるタイマ録画ＬＥＤとを設けるようにしている。図１９に、実行すべきディスク予約情報があるときのディスク予約ＬＥＤおよびタイマ録画ＬＥＤの点灯パターンの一例を示す。白丸が点灯、黒丸が消灯を表す。例えば、ディスク予約オン時にディスク予約ＬＥＤが点灯していても、タイマ録画ＬＥＤ表示を見ることで予約情報の有無を判断することができる。したがって、いずれかの予約モードを設定したのに、予約情報がなくて録画できなかったというような失敗を減らすことができる。上述ＬＥＤは液晶表示などでもよく、ユーザが視認可能なものであればよい。
【００６７】
図２０を参照して、本発明の他の実施の形態の例につき説明する。図２０は本例のＤＶＤレコーダの概略システムブロック図を示し、図１と対応する部分には同一符号を付して示す。本例は、ディスク予約情報に本体予約情報と識別するためのフラグを立てるディスク予約フラグ処理部を設けるようにするとともに、このフラグ付の予約情報を選別するフィルタを設けるようにしたものである。
【００６８】
図中、１は記録媒体である書き換え型のＤＶＤ（以下、ディスクと称する。）、２はピックアップ等の光学系およびメカユニットからなり、ディスク予約録画に必要な情報を抽出する読み出し部、８２はディスク１から読み出したディスク予約情報に本体予約情報と識別するためのフラグを立てるディスク予約フラグ処理部である。３はＲＡＭなどの揮発性メモリからなり、ディスク予約情報および本体予約情報を保持する予約情報群保持部である。
【００６９】
４はＧＵＩであり、予約情報群保持部３に展開された予約録画情報を表示する表示装置および入力操作手段から構成され、ユーザはこのＧＵＩを介して、例えばフラグの有無を基にして所望の予約録画情報を選択したり、録画予約設定時に予約録画情報に識別フラグを立てるかどうかを指示したり、予約録画情報の予約設定や予約修正等を行うことができる。
【００７０】
５はＧＵＩ４の指示により、例えば新規予約や予約の移動、コピーなどの操作において、フラグを立てない予約情報を予約情報群保持部３に送信する場合と、フラグを立てる予約情報をディスク予約フラグ処理部に送信するよう切り替えを行うセレクタである。８５はＧＵＩ４の指示によりセレクタ５を介して送信された予約情報にフラグを立てるディスク予約フラグ処理部である。
【００７１】
８６は、ＧＵＩ４からの指示により、予約情報群保持部３の予約情報について、フラグが立っている予約情報およびフラグの立っていない予約情報の選別を行い、後述の録画予約実行系にユーザの所望の予約情報を送信する録画予約実行用フィルタである。７は録画予約実行用フィルタ８６から供給される予約情報に基づき予約録画を実行する録画予約実行系である。
【００７２】
８８は、予約情報群保持部３に保持された予約情報のうちフラグが立っているものを選別してディスク１の書き込み部８に送信するディスク予約フィルタであり、８はディスク予約情報から必須情報だけを抜き出してディスク１に書き込む書き込み部である。
【００７３】
８９は、予約情報群保持部３に保持・展開された予約情報群からフラグの立っていない本体予約情報群だけを選別して本体予約情報群記憶部９に供給し保存する本体予約フィルタである。
【００７４】
以上のような構成において、ユーザはＧＵＩ４を介して、予約情報群保持部３に予約録画情報を入力する際に、ディスク予約を選択したい場合には、セレクタ５を制御し、予約録画情報をディスク予約フラグ処理部８５を経由させてフラグを立てる。本体予約を選択したい場合には、セレクタ５を制御し、予約録画情報をそのまま予約情報群保持部３に入力する。
【００７５】
予約情報群保持部３内のフラグ付の予約情報は、ディスクが抜かれる直前にフィルタ８８に送信され、フラグが立っているものだけが選別されて書き込み部８に送られ、ディスク１に予約情報が書き込まれる。また、予約情報が書き込まれたディスクを装置本体に挿入すると、ディスク予約フラグ処理部８２において読み出し部２により読み込まれた予約情報にフラグが立てられ、予約情報群保持部３に供給される。
【００７６】
上述のような操作を行うことで、予約情報群保持部３には予約情報が設定される。予約情報が設定された状態で、ユーザが予約情報の移動指示を出した場合、指定した予約情報のフラグが立っていればフラグを落とし、フラグが落ちていればフラグを立てて指定の予約情報を移動する。また、予約情報のコピー指示の場合、指定した予約情報と同内容の予約情報を新規に作り、元の予約情報のフラグが立っていればフラグを落とし、フラグが落ちていればフラグを立てて指定の予約情報をコピーする。
【００７７】
ユーザはＧＵＩ４を介してフィルタ８６に指示を出し、ディスク予約録画を行いたい場合は、フラグが立っている予約情報を、本体予約情報による通常予約録画を行いたい場合は、フラグが立っていない予約情報を録画予約実行系７に送るように制御することで、上述の移動、コピーの内容が反映・実行される。
【００７８】
本例のフラグとして、例えば、フラグが立っている予約イベントには図１２等に示すディスク予約マーク１７のような表示をするようにすると、ディスク予約か否かが即座に認識でき望ましい。このようにすると、本例における予約リストの表示内容や表示形態の変更、ディスク予約無効化および有効化操作、予約イベントの移動およびコピー操作、録画予約設定操作などは、図１例と同様の操作で行うことができる。
【００７９】
尚、本例ではディスク予約情報に本体予約情報と識別するためのフラグを立てるようにしたが、ディスク予約情報ではなく本体予約情報にフラグを立てて、予約情報の識別を行うよう構成してもよい。
【００８０】
斯かる本例によれば、ディスク予約情報に本体予約情報との識別用のフラグを設けたので、ＧＵＩからの利用者の指示に応じて、識別フラグ有りの予約録画情報と識別フラグ無しの予約録画情報と間で、予約録画情報の送受信を行うことができ、予約録画情報の移動、コピー機能が実現できる。その他、本例は、図１例と同様の作用効果が得られる。
【００８１】
本発明は上述した実施の形態の例に限られるものではなく、本発明の要旨を逸脱することなくその他種々の構成を取り得ることは勿論である。
【００８２】
【発明の効果】
斯かる本発明の第１の手段によれば、予約録画情報が保持される予約録画情報保持部を、記録媒体の予約録画情報用と本体装置の予約録画情報用とで領域を分割したので、予約録画情報保持部上に両方の予約録画情報を同時に保持・展開することができ、双方の予約録画情報間で予約録画情報の送受信を行い、予約録画情報の移動、コピー機能を実現することができる。したがって、例えば、自分の映像記録装置に保存された予約録画情報をＤＶＤ等の記録媒体にコピーして友達にあげたり等、予約録画情報を共有することができる。
【００８３】
また、第２の手段によれば、予約録画情報保持部に保持される記録媒体または本体装置の予約録画情報のいずれか一方に識別情報を付すことで、予約録画情報保持部内において、この識別情報有りまたは識別情報無しの予約録画情報が区別されるので、この識別情報に基づいて双方の予約録画情報間で予約録画情報の送受信を行うことができ、予約録画情報の移動、コピー機能を実現することができる。したがって、上述と同様、自分の映像記録装置に保存された予約録画情報をＤＶＤ等の記録媒体にコピーして友達にあげたり等、予約録画情報を共有することができる。
【図面の簡単な説明】
【図１】本発明の一実施の形態の例のシステムブロック図である。
【図２】本発明の一実施の形態の例の予約リストの時間順表示を示す線図である。
【図３】本発明の一実施の形態の例の予約リストの優先度順表示を示す線図である。
【図４】本発明の一実施の形態の例の予約リストの表示フローチャートである。
【図５】本発明の一実施の形態の例のディスク予約無効化操作を示すフローチャートである。
【図６】本発明の一実施の形態の例の予約リストを示す線図である。
【図７】本発明の一実施の形態の例の予約リストのズーム表示を示す線図である
【図８】本発明の一実施の形態の例のディスク予約無効時の予約リストツール項目例を示す線図である。
【図９】本発明の一実施の形態の例のディスク予約有効化操作を示すフローチャートである。
【図１０】本発明の一実施の形態の例のディスク予約有効時の予約リストツール項目例を示す線図である。
【図１１】本発明の一実施の形態の例の予約イベントの移動を示すフローチャートである。
【図１２】本発明の一実施の形態の例の予約イベントの移動の説明に供する線図である。
【図１３】本発明の一実施の形態の例の約イベントのコピーを示すフローチャートである。
【図１４】本発明の一実施の形態の例の予約イベントのコピーの説明に供する線図である。
【図１５】本発明の一実施の形態の例の予約リストのサブメニュー項目例を示す線図である。
【図１６】本発明の一実施の形態の例の録画予約設定画面を示す線図である。
【図１７】本発明の一実施の形態の例の録画予約設定画面を示す線図である。
【図１８】本発明の一実施の形態の例の停電からの電源復帰時の表示を示す線図である。
【図１９】本発明の一実施の形態の例のディスク予約ＬＥＤ、タイマ録画ＬＥＤ点灯パターンを示す線図である。
【図２０】本発明の他の実施の形態の例のシステムブロック図である。
【図２１】従来のシステム構成の一例を示すブロック図である。
【符号の説明】
１…ディスク、２…読み出し部、３…予約情報群保持部、３ａ…ディスク予約情報群保持部、３ｂ…本体予約情報群保持部、４…ＧＵＩ、５，６…セレクタ、７…録画予約実行系、８…書き込み部、９…本体予約情報群記憶部、１０…本体表示管、１１…不揮発性メモリ、１２，１３，１４，１５…予約イベント、１６，１８…カーソル、１７…ディスク予約マーク、２１…録画日・曜日、２２…録画開始／終了時刻、２３…チャンネル、２９…記録モード、３１…放送番組名、３２…ツールボタン、３５…ディスク予約ボタン、３６…確定ボタン、３７…本体予約ボタン、３８…ディスク予約ボタン、４１，５１…ツール項目、４２…ディスク予約オンボタン、５２…ディスク予約オフボタン、６１…サブメニュー項目、６２，６４…予約移動ボタン、６３，６５…予約コピーボタン、８２，８５…ディスク予約フラグ処理部、８６，８８，８９…フィルタ
【図１】
2004320550.tif 000003
【図２】
2004320550.tif 000004
【図３】
2004320550.tif 000005
【図４】
2004320550.tif 000006
【図５】
2004320550.tif 000007
【図６】
2004320550.tif 000008
【図７】
2004320550.tif 000009
【図８】
2004320550.tif 000010
【図９】
2004320550.tif 000011
【図１０】
2004320550.tif 000012
【図１１】
2004320550.tif 000013
【図１２】
2004320550.tif 000014
【図１３】
2004320550.tif 000015
【図１４】
2004320550.tif 000016
【図１５】
2004320550.tif 000017
【図１６】
2004320550.tif 000018
【図１７】
2004320550.tif 000019
【図１８】
2004320550.tif 000020
【図１９】
2004320550.tif 000021
【図２０】
2004320550.tif 000022
【図２１】
2004320550.tif 000023